(57)【要約】      （修正有）【課題】発光キーボード装置を提供する。【解決手段】発光キーボード装置１０は、発光モジュール１１０、底板１２０及びキーユニット１３０を含む。発光モジュール１１０は、光軸Ｉを有する光線１１２と、複数の貫通孔１１４０を有する導光板１１４を含む。底板１２０は、発光モジュール１１０の下方に位置し、貫通孔１１４０に収容されるフック体１２２を有する。キーユニット１３０は、発光モジュール１１０の上方に位置し、略矩形のキーキャップ１３２と、互いに交わりＸ形を呈し、一端がキーキャップ１３２に接合する第１及び第２支持構造１３４、１３６を含む。【選択図】図４
0003180211.tif 000002
【実用新案登録請求の範囲】
【請求項１】
底板及び少なくとも１つのキーユニットを含み、該発光モジュールは、
導光板及び少なくとも１つの光源を含み、該導光板は、複数の貫通孔を含み、該光源は、光軸を有し、該導光板の入光面に設置される発光モジュールと、
該発光モジュールの下方に位置し、複数のフック体を有し、該フック体は、該貫通孔中に対応して収容され、各該フック体は、ストッパ部及び凸縁部を有し、該ストッパ部の延伸方向は、該光源の該光軸に略平行し、且つ面積が比較的大きな係止面を含み、該係止面の法線が該光軸に垂直であり、該凸縁部の延伸方向は、該光源の該光軸に略垂直である底板と、
該発光モジュールの上方に位置し、キーキャップ及び互いに交わる第１支持構造及び第２支持構造を含み、該第１支持構造及び該第２支持構造の一端は、該キーキャップに接合し、他端は、該底板及び該凸縁部の間に位置し、該係止面に係止する少なくとも１つのキーユニットと、
を含む発光キーボード装置。
【請求項２】
前記第１支持構造の一端に少なくとも１つの第１位置制限ロッドを有し、該第２支持構造の一端に少なくとも１つの第２位置制限ロッドを有し、該第１位置制限ロッド及び該第２位置制限ロッドがそれぞれ該底板及び該凸縁の間に位置し、該係止面に係止される請求項１に記載の発光キーボード装置。
【請求項３】
更に、前記発光モジュール上に設置される回路板を含み、該回路板の該フック体に対応する位置に開口を設け、該フック体は、該開口中に収容される請求項１に記載の発光キーボード装置。
【請求項４】
更に、前記キーキャップ下方に位置する弾性部材を含み、キーキャップが底板に相対して上下移動する時に必要な弾力供給元とすることに用いる請求項３に記載の発光キーボード装置。
【請求項５】
更に、前記回路板上に設置される遮光板を含み、該遮光板の該フック体に対応する位置に通孔を設け、該フック体を該通孔中に収容し、該遮光板の該弾性部材に対応する位置に貫通孔を設け、該弾性部材が該貫通孔を通過し、該回路板に接触し、押圧信号を触発する請求項３に記載の発光キーボード装置。
【請求項６】
前記押圧ユニットは、更に回転軸を含み、該第１支持構造及び該第２支持構造の互いに交わる箇所に枢着する請求項１に記載の発光キーボード装置。
【請求項７】
前記キーキャップの取り付け面は、複数の位置決めスロットを有し、該支持構造の他側に少なくとも１つの第１接続ロッドを有し、該第２支持構造の他端に少なくとも１つの第２接続ロッドを有し、該第１接続ロッド及び該第２接続ロッドが該位置決めスロットに接合する請求項２に記載の発光キーボード装置。
【請求項８】
前記発光モジュールが側射式発光モジュールである請求項１に記載の発光キーボード装置。
【請求項９】
前記光源が発光ダイオードである請求項１に記載の発光キーボード装置。
【考案の詳細な説明】
【技術分野】
【０００１】
本考案は、キーボード装置に関し、特に、発光キーボード装置に関する。
【背景技術】
【０００２】
図１を参照し、それは、公知の発光キーボード装置の発光モジュール及び底板の立体分解図である。該発光モジュール５０は、光源５２及び導光板５４を含む。該光源５２は、光軸Ｉを有し、該光源５２は、該導光板５４の入光面(一側面)５４０に設置され、該導光板５４と合わせて側射式の発光モジュールを形成し、該発光モジュール５０上方に設置するキーユニット（図示せず）を照明することに用いる。該導光板５４上に複数の貫通孔５４２を有し、該入光面(側面)５４０から該導光板５４内部に入射する光線は、該貫通孔５４２の孔壁を経由して射出でき、図２に示すようである。
【０００３】
該底板６０は、該発光モジュール５０の底部に位置し、スタンピングによって複数のフック体６２を形成し、該フック体６２は、該貫通孔５４２中に収容される。各該フック体６２は、ストッパ部６２０及び該ストッパ部６２０上縁から外向きに延伸する凸縁部６２２を含み、該ストッパ部６２０及び該凸縁部６２２の延伸方向は、該光源５２の該光軸Ｉに略垂直である。該凸縁部６２２は、該発光モジュール５０上に設置するキーユニットに枢着し、キーユニットを該底板６０に相対して上下運動させることができる。
【０００４】
各該ストッパ部６２０は、略矩形を呈し、表面６２１、及びキーユニットに固設することに用いる係止面６２４を有し、表面６２１は、該ストッパ部６２０の比較的大きな面積を有する一側面であり、表面６２１の面積は、該係止面６２４の面積より大きい。該表面６２１は、法線ｎを有し、該表面６２１の法線ｎは、該光源５２の該光軸Ｉに平行する。
【０００５】
図２及び図３を参照し、該光源５２が発する光線は、該入光面(側面)５４０から該導光板５４に入射し、該導光板５４に進入する光線は、該貫通孔５４２の孔壁から射出する。該ストッパ部６２０（図１参照)及び該凸縁部６２２の延伸方向は、該光源５２の該光軸Ｉ（図１参照)に略垂直であるので、該貫通孔５４２の孔壁から射出する光線の大部分は、該表面６２１にブロックされ、光線が伝達できず、効率が大幅に低下する。
【先行技術文献】
【特許文献】
【０００６】
【特許文献１】特開２００９−２７７６４５号公報
【特許文献２】実用新案登録第３１７２６４８号公報
【考案の概要】
【考案が解決しようとする課題】
【０００７】
従来技術の記載に鑑み、本考案の目的は、発光キーボード装置を提供することにある。
【課題を解決するための手段】
【０００８】
上記目的を達成する為、本考案が提供する発光キーボード装置は、発光モジュール、底板及び少なくとも１つのキーユニットを含み、該発光モジュールは、導光板及び少なくとも１つの光源を含み、該導光板は、少なくとも２つの貫通孔を含み、該光源は、光軸を有し、該導光板の入光面に設置される。該底板は、該発光モジュールの下方に位置し、少なくとも２つのフック体を有し、該フック体は、該貫通孔中に対応して収容され、各該フック体は、ストッパ部及び凸縁部を有し、該ストッパ部の延伸方向は、該光源の該光軸に略平行し、且つ面積が比較的大きな係止面を含み、該凸縁部の延伸方向は、該光源の該光軸に略垂直である。該キーユニットは、該発光モジュールの一側に位置し、キーキャップ及び互いに交わる第１支持構造及び第２支持構造を含み、該第１支持構造及び該第２支持構造の一端は、該キーキャップに接合し、他端は、該底板及び該凸縁部の間に位置し、該係止面に係止する。
【考案の効果】
【０００９】
本考案の発光キーボードモジュールの該フック体の該係止部の延伸方向は、該光源の該光軸に略平行し、このように、該貫通孔から射出する光線が該ストッパ部によりブロックされることを効率的に低減することができ、光線伝達の効率を大幅に増加させる。
【図面の簡単な説明】
【００１０】
【図１】公知の発光キーボード装置の発光モジュールの底板の立体分解図である。
【図２】公知の発光キーボード装置の発光モジュールの底板の局部断面図及び光線進行経路の説明図である。
【図３】公知の発光モジュールの底板の平面図である。
【図４】本考案の発光キーボード装置の立体分解図である。
【図５】本考案の発光キーボード装置の立体組み合わせ図である。
【図６】本考案の発光モジュールの底板の平面図である。
【図７】本考案の発光モジュールの底板の局部断面図及び光線進行経路の説明図である。
【考案を実施するための形態】
【００１１】
図４及び図５を参照し、それは、それぞれ本考案の発光キーボード装置の立体分解図及び立体組み合わせ図である。該発光キーボード装置１０は、発光モジュール１１０、底板１２０及びキーユニット１３０を含む。
【００１２】
該発光モジュール１１０は、側射式発光モジュールであり、該発光キーボード装置１０を点灯することに用いる。該発光モジュール１１０は、光源１１２及び導光板１１４を含む。該光源１１２は、光軸Ｉを有し、該光軸Ｉは、該光源１１２が発するビームの中心軸線Ｃである。
該光源１１２は、発光ダイオード（light emitting diode, ＬＥＤ）、ランプ又は電球であることができ、且つ数量は、１つ又は複数であることができ、本実施例において、該発光モジュール１１０は、光源１１２を含むことを例として説明し、且つ該光源１１２は、好ましくは発光ダイオードである。
【００１３】
該導光板１１４は、透光板体であり、その内部に入射する光線の方向を誘導することに用いる。該導光板１１４は、複数の貫通孔１１４０を有する。本実施例において、該導光板１１４は、４つの貫通孔１１４０を含むことを例として説明するが、この数量は、本考案に対し、制限するものではない。該光源１１２は、該導光板１１４の入光面１１４２に位置し、該入光面１１４２に光線を発し、図６に示すようである。該導光板１１４は、該光源１１２と合わせて側射式発光モジュールを構成する。
【００１４】
該底板１２０は、該発光モジュール１１０の下方に位置する。該底板１２０は、好ましくは、金属板であり、且つ好ましくは、該底板１２０は、光反射効果を有する金属板であり、該発光モジュール１１０から漏出する光線を反射し、該導光板１１４内に再進入させる。該底板１２０は、スタンピングにより複数のフック体１２２を形成し、該底板１２０は、４個のフック体１２２を含むことを例とし説明する。該フック体１２２は、それぞれ該貫通孔１１４０中に収容される。
【００１５】
各該フック体１２２は、ストッパ部１２２０を含み、該ストッパ部１２２０の延伸方向は、該光源１１２の該光軸Ｉに略平行し、該ストッパ部１２２０は、略矩形を呈し、そのうち、面積が比較的大きな一面が係止面１２２１であり、該係止面１２２１の法線ｎが該光源１１２の該光軸Ｉに略垂直する。
【００１６】
各該フック体１２２は、凸縁部１２２２を更に含み、該凸縁部１２２２は、該ストッパ部１２２０の上縁に設置され、且つ該凸縁部１２２２の延伸方向は、該光源１１２の該光軸Ｉに略垂直である。本実施例において、該凸縁部１２２２は、該ストッパ部１２２０の中心軸線Ｃに近隣する一側の上縁に設置され、該凸縁部１２２２は、該中心軸線Ｃから離れる方向に延伸し、且つ各該凸縁部１２２２の体積は、各該ストッパ部１２２０の体積より小さい。
【００１７】
該キーユニット１３０は、発光モジュール１１０の上方に位置し、該キーユニット１３０は、キーキャップ１３２、第１支持構造１３４及び第２支持構造１３６を含む。該キーキャップ１３２は、略矩形を呈し、且つ押圧面１３２０及び該押圧面１３２０に相反する取り付け面を含み、該押圧面１３２０は、使用者に指で押圧させ、また、該押圧面１３２０は、少なくとも１つのキャラクタ符号１３２１に設置され、使用者に該キーキャップ１３２を識別させることに用いる。該キーキャップ１３２は、透光材質を使用して製作されえることができる。まあは、該キーキャップ１３２の該キャラクタ符号１３２１に対応する設置箇所は、透光材質で製作されることができ、光線を該キーキャップ１３２の取り付け面から該押圧面１３２０に伝達し、該キャラクタ符号１３２１を照明することに用いる。該取り付け面は、複数の位置決めスロット１３２３を形成し、本実施例において、該取り付け面は、４つの位置決めスロット１３２３を例として説明する。
【００１８】
該第１支持構造１３４及び該第２支持構造１３６は、互いに交わり、Ｘ形を呈し、且つその交わる箇所は、回転軸１３８により１つに枢着する。該第１支持構造１３４の一端に第１接続ロッド１３４０を有し、第２支持構造１３６の一端は、第２接続ロッド１３６０を有し、該第１接続ロッド１３４０及び該第２接続ロッド１３６０は、それぞれ該位置決めスロット１３２３に接合する。該第１支持構造１３４の一端は、少なくとも１つの第１位置制限ロッド１３４２を有し、該第２支持構造１３６の他端は、少なくとも１つの第２位置制限ロッド１３６２を有する。
本実施例において、該第１支持構造１３４は、２つの第１位置制限ロッド１３４２を含み、該第２支持構造１３６は、２つの第２位置制限ロッド１３６２を含むことを例とし説明する。各該第１位置制限ロッド１３４２及び各該第２位置制限ロッド１３６２は、それぞれ該底板１２０及び各該凸縁部１２２２の間に設置され、各該係止面１２２１に係合する；このように、該キーキャップ１３２は、該第１支持構造１３４及び該第２支持構造１３６により該底板１２０に相対して上下運動することができる。
【００１９】
図６及び図７(図４も参照)を参照し、該光源１１２を点灯する時、該光源１１２の発光が発する光線は、該入光面１１４２を通過し、該導光板１１４に進入し、該導光板１１４内部に伝達され、該キーユニット１３０に伝達される。該ストッパ部１２２０の延伸方向は、該光源１１２の該光軸Ｉに略平行であり、このように、光線が該係止面１２２１によりブロックされる確率を大幅に低減でき、大部分の該光線を該導光板１１４中の光源１１２から離れる一側に伝達することができる。
【００２０】
図４及び図５を参照し、該発光キーボード装置１０は、回路板１４０、弾性部材１５０及び遮光板１６０を更に含む。該回路板１４０は、該導光板１１４の上方に設置し、該キーキャップ１３２が力を受けて押下され、押圧信号を触発しているか否かを検出することに用いる。該回路板１４０は、薄膜回路板（membrane circuit)又はその他の回路板であることができ、且つその上に該フック体１２２に対応する開口１４２を設け、該フック体１２２をその中に収容させることに用いる。本実施例において、該回路板１４０は、４個の開口１４２を含むことを例として説明する。
【００２１】
該弾性部材１５０は、該キーキャップ１３２下方に位置され、キーキャップ１３２が底板１２０に相対して上下移動する時に必要な弾力供給元とすることに用いる。該弾性部材１５０は、弾性パッドリング又はその他の弾性体であることができ、該回路板１４０上直接的に形成するか、粘着剤（図示せず）を介して該回路板１４０と結合することができる。
【００２２】
該遮光板１６０は、該回路板１４０上に位置し、該遮光板１６０は、該フック体１２２に対応する通孔１６２を設け、フック体１２２をその中に収容させる。該遮光板１６０は、該弾性部材１５０に対応する貫通孔１６４を更に設け、該弾性部材１５０を該貫通孔１６４に介して該回路板１４０に接触させ、押圧信号を触発する。本実施例において、該遮光板１６０は、４個の通孔１６２を含むことを例として説明する。該遮光板１６０は、金属又はプラスチック等の非透光材質で製作でき、光線が該回路板１４０を直接通過して該キーキャップ１３２に投射され、該キーキャップ１３２周囲に光線の干渉を形成し、更に、使用者が該キーキャップ１３２上に位置するキャラクタ符号１３２１を識別することに影響を及ぼすことを回避することに用いる。
【００２３】
以上を総合し、本考案の発光キーボードモジュールの該フック体１２２のストッパ部１２２０の延伸方向は、該光源１１２の該光軸Ｉに略平行し、このように、キーの元の設置方向を維持することができ、光線伝導効率を大幅に増加することができる。
【００２４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２５】
１０  発光キーボード装置
１１０，５０  発光モジュール
１１２，５２  光源
１１４，５４  導光板
１１４０，５４２  貫通孔
１１４２，５４０  入光面
１１４４  板面
１２０，底板
１２２，６０  フック体
１２２０，６２０  ストッパ部
１２２１，６２４  係止面
１２２２，６２２  凸縁部
１３０  キーユニット
１３２  キーキャップ
１３２０  押圧面
１３２１  キャラクタ符号
１３２３  位置決めスロット
１３４  第１支持構造
１３４０  第１接続ロッド
１３４２  第１位置制限ロッド
１３６  第２支持構造
１３６０  第２接続ロッド
１３６２  第２位置制限ロッド
１３８  回転軸
１４０  回路板
１４２  開口
１５０  弾性体
１６０  遮光板
１６２  通孔
１６４  貫通孔
６２１  表面
Ｃ  中心軸線
Ｉ  光軸
ｎ  法線
【図１】
0003180211.tif 000003
【図２】
0003180211.tif 000004
【図３】
0003180211.tif 000005
【図４】
0003180211.tif 000006
【図５】
0003180211.tif 000007
【図６】
0003180211.tif 000008
【図７】
0003180211.tif 000009